(57)【要約】【課題】皿に盛られたパスタを食べる際に、スプーンを用いなくても、適量のパスタをきれいに巻き取って食べることの可能なパスタ皿を提供する。【解決手段】パスタ皿１００は、パスタが盛られるパスタ領域１１０に、スプーンの頭形状の凹部１２０を設けたことを特徴とする。フォークで適量のパスタを凹部１２０の近傍に集めて、凹部１２０にパスタを乗せてフォークで巻くことにより、適量のパスタをきれいに巻き取ることができる。このようにして、スプーンを用いなくても、適量のパスタをきれいに巻き取って食べることが可能である。【選択図】図１
0003213094.tif 000002
【実用新案登録請求の範囲】
【請求項１】
パスタが盛られるパスタ領域に、スプーンの頭形状の凹部を設けたことを特徴とする、パスタ皿。
【請求項２】
パスタが盛られるパスタ領域と、前記パスタ領域の周囲に設けられる鍔部と、を備え、
前記パスタ領域又は前記鍔部に、スプーンの頭形状の凹部を設けたことを特徴とする、パスタ皿。
【請求項３】
前記凹部は、大さじの頭の形状であることを特徴とする、請求項１又は２に記載のパスタ皿。
【請求項４】
前記パスタ領域に、隆起部が設けられており、
前記隆起部に、前記スプーンの頭形状の凹部を設けたことを特徴とする、請求項１〜３のいずれかに記載のパスタ皿。
【請求項５】
前記凹部に連続して、スプーンの柄が表されていることを特徴とする、請求項１〜４のいずれかに記載のパスタ皿。
【請求項６】
前記凹部を加熱するための加熱手段が設けられることを特徴とする、請求項１〜５のいずれかに記載のパスタ皿。
【請求項７】
前記加熱手段は発熱体であり、前記発熱体を収容できる発熱体収容部を設けたことを特徴とする、請求項６に記載のパスタ皿。
【考案の詳細な説明】
【技術分野】
【０００１】
本考案は、パスタ皿に関する。
【背景技術】
【０００２】
皿に盛られたパスタを食べるときには、フォークでパスタを巻き取って食べるのが一般的である。この際、適量のパスタをきれいに巻き取るために、フォークとともにスプーンを用いることがある。フォークとスプーンを使って適量のパスタを集め、スプーンの頭の上にパスタを乗せてフォークで巻くことにより、適量のパスタをきれいに巻き取ることができる（例えば、非特許文献１参照）。
【先行技術文献】
【非特許文献】
【０００３】
【非特許文献１】インターネット＜ＵＲＬ：http://ja.wikipedia.org/wiki/%E3%82%B9%E3%83%91%E3%82%B2%E3%83%83%E3%83%86%E3%82%A3＞
【考案の概要】
【考案が解決しようとする課題】
【０００４】
しかしながら、パスタを食べる際にフォークとともにスプーンを使うのは、両手を使わないといけないため、幼児や高齢者にとっては難しい場合がある。また、フォークとともにスプーンを使うことを気恥ずかしく感じる人もいる。さらに、フォークとともにスプーンを用いるのは、非特許文献１に開示されるように、時と場所によってはマナーの問題になることもあった。
【０００５】
そこで本考案は、このような問題に鑑みてなされたもので、その目的とするところは、皿に盛られたパスタを食べる際に、スプーンを用いなくても、適量のパスタをきれいに巻き取って食べることの可能な、新規かつ改良されたパスタ皿を提供することにある。
【課題を解決するための手段】
【０００６】
上記課題を解決するために、本考案によれば、パスタが盛られるパスタ領域又は鍔部に、スプーンの頭形状の凹部を設けたことを特徴とする、パスタ皿が提供される。なお、一般にパスタ皿には、実質的にパスタが盛られる領域のみからなるパスタ皿（例えば、舟形のパスタ皿）と、パスタが盛られる領域とその周囲の鍔部とからなるパスタ皿（例えば、帽子型のパスタ皿）とがある。本考案は両方を含む。すなわち、実質的にパスタ領域のみからなるパスタ皿においては、そのパスタ領域に、スプーンの頭形状の凹部が設けられる。また、パスタ領域とその周囲に設けられる鍔部とを備えるパスタ皿においては、パスタ領域又は鍔部に、スプーンの頭形状の凹部が設けられる。
【０００７】
かかる本考案によれば、パスタ領域又は鍔部にスプーンの頭形状の凹部が設けられていることによって、フォークのみを使う場合でも、フォークとともにスプーンを用いる場合と同様の食べ方ができる。すなわち、フォークで適量のパスタを凹部の近傍に集めて、凹部にパスタを乗せてフォークで巻くことにより、適量のパスタをきれいに巻き取ることができる。このようにして、スプーンを用いなくても、適量のパスタをきれいに巻き取って食べることが可能である。
【０００８】
本考案のパスタ皿は、さまざまな応用が可能である。例えば、凹部の形状や大きさは任意であるが、一例として、洋食器（カトラリー）のスプーンや計量スプーンの大さじの頭形状とすることができる。日頃から大さじ状のスプーンを用いてパスタを食べる人にとって、慣れた大きさであることから、使い勝手がよい。
【０００９】
また、前記パスタ領域に、隆起部が設けられており、前記隆起部に、前記スプーンの頭形状の凹部を設けることも可能である。凹部を隆起部に設けることで、パスタ皿にパスタを盛ったときに、凹部が隠れてしまうことを防止できる。
【００１０】
また、前記凹部に連続して、スプーンの柄が表されていてもよい。ここで「表されている」とは、スプーンの柄の模様が描かれていることのほか、スプーンの柄の模様が焼印されていたり、スプーンの柄の形状の凹部が設けられていたり、スプーンの柄の形状が彫られていたり、スプーンの柄の形状の隆起があるような状態なども含む。かかる構成によれば、凹部がスプーンの頭の意味であることを理解しやすく、使い勝手がよい。
【００１１】
また、前記凹部の近傍に、前記凹部を加熱するための加熱手段が設けられていてもよい。かかる構成によれば、凹部の部分でパスタを巻き取る際に、パスタが加熱される。このため、食事中にパスタが冷めてしまっても、食べる直前に再加熱され、最後まで温かい状態で食べることができる。
【００１２】
加熱手段としては、外部から電気などのエネルギーが供給されて加熱する手段であってもよいが、例えば、加熱手段を発熱体とし、パスタ皿に発熱体を収容できる収容部を設けるようにしてもよい。パスタ皿に電源を設けたりコードを接続したりなどする必要がなくなり、使い勝手がよい。
【００１３】
なお、以上説明した本考案の応用例は、任意に組み合わせることが可能である。例えば、パスタ領域に隆起部を設けるときに、その隆起部の内部のスペースに、加熱手段を設けるようにしてもよい。
【考案の効果】
【００１４】
本考案によれば、皿に盛られたパスタを食べるときに、スプーンを用いなくても、適量のパスタをきれいに巻き取って食べることが可能である。なお、本考案のその他の効果は、本明細書及び図面の全体から明らかにされる。
【図面の簡単な説明】
【００１５】
【図１】第１の実施形態にかかるパスタ皿を示す図である。
【図２】パスタを巻き取る動作を示す図である。
【図３】第２の実施形態にかかるパスタ皿を示す図である。
【図４】第３の実施形態にかかるパスタ皿を示す図である。
【図５】第４の実施形態にかかるパスタ皿を示す図である。
【図６】第５の実施形態にかかるパスタ皿を示す図である。
【図７】図６のパスタ皿の側面図である。
【考案を実施するための形態】
【００１６】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１７】
まず、一般的なパスタ皿について説明する。一口にパスタ皿と言っても、さまざまな材質及び形状のものが知られている。パスタ皿の材質としては、例えば、陶器、磁器、樹脂、金属、石、木などがある。パスタ皿としてどのような材質のものを用いても、当業者であれば適切な手法によって、任意の形状のパスタ皿を製造することが可能である。パスタ皿の形状としては、例えば、パスタを盛る部分が舟のような形状になっているもの（以下、舟形という）や、鍔のある帽子をひっくり返したような形状になっているもの（以下、帽子型という）などがある。
【００１８】
以下の説明では、パスタ皿の形状を中心に説明する。当業者であれば、任意の材質を用いて、任意の形状のパスタ皿を製造することが可能であるので、パスタ皿の製造方法についての詳細な説明は割愛する。
【００１９】
（第１の実施形態）
本考案の第１の実施形態について説明する。図１は、第１の実施形態に係るパスタ皿の全体構成を示す図である。本実施形態に係るパスタ皿１００は、図１に示したように、舟形のパスタ皿であり、パスタが盛られるパスタ領域１１０に、スプーンの頭形状の凹部１２０が設けられている。
【００２０】
パスタ領域１１０は、適量のパスタ（例えば、一人分のパスタ）を盛ることができる一般的な大きさであり、図１に示したように、滑らかな曲面からなる。底面は平らな面でもよい。なお、本実施形態のパスタ皿１００は、パスタ領域１１０の周囲に、鍔部が設けられていないタイプのものである。パスタ領域の周囲に鍔部を設けたパスタ皿については、後述する。
【００２１】
凹部１２０は、適量のパスタを乗せることができるように、適度の大きさで構成される。例えば、洋食器（カトラリー）のスプーンや、調理用計量器として周知なスプーンである計量スプーンの大さじ（１５ｍｌ）の頭形状としてもよく、あるいは、これと同程度の体積の窪み、例えば、半球形状、半楕円体形状としてもよい。なお、凹部１２０は、パスタ領域１１０の任意の箇所に設けることができるが、図１に示したように、パスタ皿１００の底面に対して傾斜した箇所に凹部１２０を設けるとよい。パスタをフォークで巻き取りやすいだけでなく、凹部１２０がパスタに隠れにくくなり、使い勝手がよい。
【００２２】
このような凹部１２０は、パスタ皿の製造の途中で形成してもよく、あるいは、パスタ皿の製造後に形成してもよい。すなわち、凹部１２０を形成できるような金型等を用いてパスタ皿１００を製造したり、手作業で凹部１２０を形成しつつパスタ皿を製造したりしてもよい。あるいは、一般的な舟形のパスタ皿を製造した後に、凹部１２０の部分を削取り加工したりプレス加工したりしてもよい。
【００２３】
以上のように構成されるパスタ皿１００の使用方法について説明する。
パスタ領域１１０に盛られたパスタを食べる際に、フォークで適量のパスタを凹部１２０の近傍に集める。そして、図２に示したように、凹部１２０にパスタを乗せてフォークで巻くことにより、適量のパスタをきれいに巻き取ることができる。
【００２４】
以上説明したように、本実施形態によれば、パスタ皿１００の内側の底面又は側面にスプーンの頭形状の凹部１２０が設けられていることによって、フォークのみを使う場合でも、フォークとともにスプーンを用いる場合と同様の食べ方ができる。すなわち、フォークで適量のパスタを凹部１２０の近傍に集めて、凹部１２０にパスタを乗せてフォークで巻くことにより、適量のパスタをきれいに巻き取ることができる。このようにして、スプーンを用いなくても、適量のパスタをきれいに巻き取って食べることが可能である。
【００２５】
（第２の実施形態）
本考案の第２の実施形態について説明する。図３は、第２の実施形態に係るパスタ皿の全体構成を示す図である。上記第１の実施形態と異なる点を中心に説明する。
【００２６】
本実施形態に係るパスタ皿２００は、図１に示したように、帽子型のパスタ皿であり、パスタが盛られるパスタ領域２１０と、パスタ領域２１０の周囲に設けられた鍔部２２０とを有する。そして、この鍔部２２０に、スプーンの頭形状の凹部２３０が設けられている。
【００２７】
パスタ領域２１０は、上記第１の実施形態のパスタ領域１１０と同様である。
【００２８】
鍔部２２０の幅や形状等は任意である。例えば、鍔部２２０の幅は、パスタ皿２００を手で持つときに持ちやすい幅とすることができる。また、この鍔部２２０には凹部２３０が設けられるので、鍔部２２０のうち、少なくとも凹部２３０を設ける部分については、パスタ皿２００の底面に対して傾斜させるとよい。このようにすることで、凹部２３０を傾斜させることができるため、パスタをフォークで巻き取りやすい。
【００２９】
凹部２３０は、図３に示したように、鍔部２２０に設けられる。このように構成することによって、パスタ皿２００にパスタを盛ったときに、凹部２３０がパスタに隠れてしまうことを防止でき、使い勝手がよい。なお、凹部２３０の形状等は、上記第１の実施形態の凹部１２０と同様である。
【００３０】
以上説明したように、本実施形態によれば、上記第１の実施形態の効果に加えて、凹部２３０を鍔部２２０に設けることで、パスタ皿２００にパスタを盛ったときに、凹部２３０が隠れてしまうことを防止できる。
【００３１】
なお、本実施形態のような帽子型のパスタ皿であっても、凹部を鍔部に設けずに、凹部をパスタ領域に設けてもよいことは言うまでもない。
【００３２】
（第３の実施形態）
本考案の第３の実施形態について説明する。図４は、第３の実施形態に係るパスタ皿の全体構成を示す図である。上記第１、第２の実施形態と異なる点を中心に説明する。
【００３３】
本実施形態に係るパスタ皿３００は、図４に示したように、舟型のパスタ皿であり、パスタが盛られるパスタ領域３１０と、パスタ領域３１０に設けられた隆起部３２０とを有する。そして、この隆起部３２０に、スプーンの頭形状の凹部３３０が設けられている。
【００３４】
パスタ領域３１０は、上記第１の実施形態のパスタ領域１１０と同様である。
【００３５】
隆起部３２０は、図４に示したように、パスタ領域３１０に設けられている。隆起部３２０は、パスタ領域３１０よりも高い面に凹部３３０を形成するために設けられるものであり、例えば、図４に示した一例のように、略直方体形状とすることができる。そして、略直方体形状の隆起部３２０の上面に、凹部３３０が設けられている。凹部３３０の形状自体は、上記第１の実施形態の凹部１２０と同様である。
【００３６】
なお、隆起部３２０には凹部３３０が設けられるので、隆起部３２０のうち、少なくとも凹部３３０を設ける部分については、パスタ皿３００の底面に対して傾斜させるとよい。このようにすることで、凹部３３０を傾斜させることができるため、パスタをフォークで巻き取りやすい。
【００３７】
以上説明したように、本実施形態によれば、凹部３３０を隆起部３２０に設けることで、パスタを盛ったときに、凹部３３０が隠れてしまうことを防止できる。
【００３８】
なお、本実施形態は、鍔部を有する帽子型のパスタ皿にも応用可能である。帽子型のパスタ皿に隆起部を設けるときは、隆起部を鍔部に設けてもよく、パスタ領域に設けてもよい。
【００３９】
（第４の実施形態）
本考案の第４の実施形態について説明する。図５は、第４の実施形態に係るパスタ皿の全体構成を示す図である。上記第１〜第３の実施形態と異なる点を中心に説明する。
【００４０】
本実施形態に係るパスタ皿４００は、図５に示したように、帽子型のパスタ皿であり、パスタが盛られるパスタ領域４１０と、パスタ領域４１０の周囲に設けられた鍔部４２０とを有する。そして、この鍔部４２０に、スプーンの頭形状の凹部４３０が設けられている。さらに、凹部４３０に連続して、スプーンの柄の模様４４０が表されている。
【００４１】
パスタ領域４１０、凹部４３０は、上記第１の実施形態のパスタ領域１１０、凹部１２０と同様である。
【００４２】
柄の模様４４０は、凹部４３０がスプーンの頭の意味であることを理解しやすくするためのものである。柄の模様４４０は、図５に示した一例では、凹部４３０に連続して、鍔部４２０の領域に表されている。凹部４３０がスプーンの丸い部分の先頭を表し、柄の模様４４０は、スプーンの付け根（首）から手で持つ部分を表す。なおここで、「表されている」とは、図５に示したようにスプーンの柄の模様が描かれていることのほか、スプーンの柄の模様が刻印されていたり、スプーンの柄の形状の凹部が設けられていたり、スプーンの柄の形状が彫られていたり、スプーンの柄の形状の隆起があるような状態なども含む。
【００４３】
以上説明したように、本実施形態によれば、凹部４３０がスプーンの頭の意味であることを理解しやすく、使い勝手がよい。
【００４４】
（第５の実施形態）
本考案の第５の実施形態について説明する。図６は、第５の実施形態に係るパスタ皿の全体構成を示す図である。図７は、図６のパスタ皿の側面図である。上記第１〜第４の実施形態と異なる点を中心に説明する。
【００４５】
本実施形態に係るパスタ皿５００は、図６及び図７に示したように、舟型のパスタ皿であり、パスタが盛られるパスタ領域５１０に、スプーンの頭形状の凹部５２０が設けられている。さらに、凹部５２０の近傍に、凹部５２０を加熱するための発熱体５３０と、発熱体５３０を収容する発熱体収容箱５４０と、発熱体５３０及び発熱体収容箱５４０を収容できる発熱体収容部５５０が設けられている。
【００４６】
パスタ領域５１０は、上記第１の実施形態のパスタ領域１１０と同様である。
【００４７】
発熱体収容部５５０は、図６及び図７に示したように、パスタ領域５１０に設けられている。発熱体収容部５５０は、発熱体収容箱５４０に収容された発熱体５３０を収容するために設けられるものであり、例えば図６に示した一例のように、パスタ領域５１０から隆起した形態である。発熱体収容部５５０は、熱を通しやすい材質で構成することができる。そして、発熱体収容部５５０の近傍（上部）に、凹部５２０が設けられている。凹部５２０の形状自体は、上記第１の実施形態の凹部１２０と同様である。
【００４８】
発熱体５３０は、ある程度の時間、単体で熱を発することができるものである。例えば、食事の時間を考慮すると、１０分以上発熱できることが好ましい。このような発熱体５３０としては、例えば、焼け石や、金属体などを採用することができる。繰り返し使えるものであれば、コスト面で有利である。また、単体で熱を発することができるものであれば、パスタ皿５００に電源を設けたりコードを接続したりなどする必要がなくなり、使い勝手がよい。
【００４９】
以上説明したように、本実施形態によれば、凹部５２０の部分でパスタを巻き取る際に、パスタが加熱される。このため、食事中にパスタが冷めてしまっても、食べる直前に再加熱され、最後まで温かい状態で食べることができる。
【００５０】
なお、本実施形態では、加熱手段の一例として発熱体５３０を採用し、発熱体５３０を収容できる発熱体収容箱５４０と発熱体収容部５５０を設ける例について説明したが、本考案はこれに限定されない。例えば、凹部５２０自体を石や金属で構成して、凹部５２０自体を発熱体としてもよい。また、発熱体は、必ずしも単体の発熱体でなくてもよく、外部から電気などのエネルギーが供給されて発熱する手段であってもよい。この場合、必ずしも図７に示したような発熱体収容箱５５０は必要ない。
【００５１】
以上、添付図面を参照しながら本考案の好適な実施形態について説明したが、本考案はかかる例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【００５２】
例えば、上記実施形態では、舟形と帽子型のパスタ皿を例に挙げて説明したが、本考案はこれに限定されない。平皿状、ボウル状、ドンブリ状、直方体状など、どのような形状のパスタ皿にも本考案を適用可能である。また、パスタ皿の材質はどのようなものであってもよい。
【００５３】
また、単に名称が異なるだけに過ぎない皿、例えば、カレー皿やスープ皿として販売され又は使用されている皿であっても、当該皿をパスタ皿として使用することができることは明らかである。よって、このような名称が異なるだけに過ぎない皿についても、当然に本考案の技術的範囲に属する。
【００５４】
また、上記第１〜第５の実施形態で説明した例は、任意に組み合わせることが可能である。
【産業上の利用可能性】
【００５５】
本考案は、パスタ皿に利用可能である。
【符号の説明】
【００５６】
１００  パスタ皿（第１の実施形態）
１１０  パスタ領域
１２０  凹部
２００  パスタ皿（第２の実施形態）
２１０  パスタ領域
２２０  鍔部
２３０  凹部
３００  パスタ皿（第３の実施形態）
３１０  パスタ領域
３２０  隆起部
３３０  凹部
４００  パスタ皿（第４の実施形態）
４１０  パスタ領域
４２０  鍔部
４３０  凹部
４４０  柄の模様
５００  パスタ皿（第５の実施形態）
５１０  パスタ領域
５２０  凹部
５３０  発熱体
５４０  発熱体収容箱
５５０  発熱体収容部
【図１】
0003213094.tif 000003
【図２】
0003213094.tif 000004
【図３】
0003213094.tif 000005
【図４】
0003213094.tif 000006
【図５】
0003213094.tif 000007
【図６】
0003213094.tif 000008
【図７】
0003213094.tif 000009